(57)【要約】 【課題】ＨＡ端子を持たない端末装置の遠隔操作、遠隔状態確認を可能とするホームオートメーションシステム及びその運転方法を提供する。【解決手段】携帯電話１３から管理センター１１に対して屋外灯４の遠隔ＯＮ（例えば屋外灯の点灯）要求があると、管理センター１１はコントローラ３に対して屋外灯４の通電を指令する。これを受けて、コントローラ３はＨＡ変換ユニット２の通電制御回路６にＪＥＭ−Ａ制御信号を送信する。制御信号を受信した通電制御回路６は、リレー回路８に対して通電トリガーを与える。これを受けてリレー回路８は、リレーＳＷ９の接点９ｂ側閉、接点９ａ側開にする。これにより屋外灯４が点灯する。【選択図】図１
2006191419.tif 000002
【特許請求の範囲】
【請求項１】
ＪＥＭ−Ａ通信規格に準拠する制御信号を受けて、ＨＡ端子を持たない端末装置（以下、非ＨＡ端末装置という）を通電又は通電遮断させる手段と、
前記非ＨＡ端末装置の通電又は通電遮断状態を検知する手段と、
検知結果に基づいて、ＪＥＭ−Ａ通信規格に準拠するモニタ信号を出力する手段と、
を備えて成ることを特徴とするＨＡ変換装置。
【請求項２】
前記非ＨＡ端末装置の電源供給手段を、さらに備えて成ることを特徴とする請求項１に記載のＨＡ変換装置。
【請求項３】
請求項１又は２に記載のＨＡ変換装置と、前記非ＨＡ端末装置と、
ＪＥＭ−Ａ通信規格に基づいて前記ＨＡ変換装置に制御信号を送信し、かつ、前記ＨＡ変換装置からモニタ信号を受信する手段を備えた集中制御用コントローラと、
を含んで成ることを特徴とするホームオートメーションシステム。
【請求項４】
前記端末装置が、前記ＨＡ変換装置による稼動又は通電又は通電遮断とは独立の通電又は通電遮断手段を備えて成ることを特徴とする請求項１に記載のホームオートメーションシステム。
【請求項５】
前記ＨＡ変換装置のスイッチと前記端末装置の切替スイッチとが階段スイッチ構造に構成されて成ることを特徴とする請求項１に記載のホームオートメーションシステム。
【請求項６】
請求項２に記載のＨＡ変換装置を一体に構成して成ることを特徴とするホームオートメーション用コントローラ。
【請求項７】
無電圧接点を備えた端末装置の両極端子と集中制御コントローラのモニタ信号状態確認手段の端子とを接続し、前記モニタ信号状態確認手段が前記端末装置の接点導通に伴う電気的変化を検知することにより、前記端末装置の稼動状態をモニタすることを特徴とするホームオートメーションシステムの運転方法。
【発明の詳細な説明】
【技術分野】
【０００１】
本発明はホームオートメーションシステムに関し、特に、ＨＡ端子を持たない端末装置の遠隔操作、遠隔状態確認を可能とするホームオートメーションシステムに関する。
【背景技術】
【０００２】
近年、利便性向上やセキュリティ意識の高まり等によりホームオートメーション（以下、ＨＡという）が注目されており、既にエアコン、全自動風呂、床暖房、電気錠等に関する遠隔操作技術が実用化されている。
【０００３】
遠隔操作は室内の制御盤や外部の携帯端末等から行われるが、その通信制御方式は日本電機機器工業会のＨＡ端子（ＪＥＭ−Ａ）規格により標準化されている。図７は、ＪＥＭ−Ａ規格によるＨＡ端子の構成を示すものであり、端末機器１０１と、２組のホトカプラ１０２ａ、１０２ｂにより構成されるＩＦＵ１０２と、これらを電気的に接続する制御信号線１０３ａ、１０３ｂとモニタ信号線１０４ａ、１０４ｂにより構成されている。端末機器１０１、ＩＦＵ１０２は、それぞれ制御用端子Ｃ１、Ｃ２及びモニタ用端子Ｍ１、Ｍ２を備えている。ホトカプラ１０２の上流側には不図示のホームバスに接続するための通信線１０４が設けられている。
【０００４】
ＪＥＭ−Ａ規格によるＨＡ端子の論理的条件は図８により示される。同図（ａ）は制御信号の送信条件を示すものであり、Ｔｐ＝２００〜３００ｍｓのパルスが送信される。端末機器１０１はこの信号により作動状態を反転させる。パルス間隔はＴｉ＝２００ｍｓ以上と規定されている。同図（ｂ）はモニタ信号条件を示すものであり、制御信号パルスを受けた後、Ｔｒ＝３５０ｍｓ以下で反転するように規定されている。この信号をモニターすることにより、端末機器１０１が作動状態を反転させたことを確認することができる。
【０００５】
このようなＪＥＭ−Ａ規格によるＨＡ遠隔操作システムを利用した電気錠システムについて、例えば特許文献１に開示されている。
しかし、電気錠やエアコン等の端末装置を遠隔制御するためには、これらの端末装置がＨＡ端子を備えている必要があり、ＨＡ端子が付設されていない機器・装置に対しては遠隔操作を行うことができないという問題がある。
【特許文献１】特開平１０−２２９５９１号公報
【発明の開示】
【発明が解決しようとする課題】
【０００６】
本発明は、このような問題を解消すべく、ＨＡ端子を備えていない機器・装置に対して遠隔操作を可能とするＨＡ遠隔操作システム、及びその運転方法を提供するものである。
【課題を解決するための手段】
【０００７】
上記課題を解決するために、本発明に係るＨＡ遠隔操作システムは以下の内容を要旨とする。すなわち、
（１）ＪＥＭ−Ａ通信規格に準拠する制御信号を受けて、非ＨＡ端末装置を通電又は通電遮断させる手段と、非ＨＡ端末装置の通電又は通電遮断状態を検知する手段と、検知結果に基づいて、ＪＥＭ−Ａ通信規格に準拠するモニタ信号を出力する手段と、を備えて成ることを特徴とするＨＡ変換装置。
【０００８】
（２）非ＨＡ端末装置の電源供給手段を、さらに備えて成ることを特徴とするＨＡ変換装置。
（３）上記（１）又は（２）に記載のＨＡ変換装置と、非ＨＡ端末装置と、ＪＥＭ−Ａ通信規格に基づいてＨＡ変換装置に制御信号を送信し、かつ、ＨＡ変換装置からモニタ信号を受信する手段を備えた集中制御用コントローラと、を含んで成ることを特徴とするホームオートメーションシステム。
【０００９】
（４）端末装置が、ＨＡ変換装置による稼動又は通電又は通電遮断とは独立の通電又は通電遮断手段を備えて成ることを特徴とするホームオートメーションシステム。
（５）ＨＡ変換装置のスイッチと端末装置の切替スイッチとが階段スイッチ構造に構成されて成ることを特徴とするホームオートメーションシステム。
（６）上記（２）に記載のＨＡ変換装置を一体に構成して成ることを特徴とするホームオートメーション用コントローラ。
（７）無電圧接点を備えた端末装置の両極端子と集中制御コントローラのモニタ信号状態確認手段の端子とを接続し、モニタ信号状態確認手段が端末装置の接点導通に伴う電気的変化を検知することにより、端末装置の稼動状態をモニタすることを特徴とするホームオートメーションシステムの運転方法。
【発明の効果】
【００１０】
本発明によれば、ＪＥＭ−Ａ規格のＨＡ端子を備えていない機器・装置に対して、コントローラ側の変更を伴うことなく遠隔操作、遠隔状態確認が可能となる。
【発明を実施するための最良の形態】
【００１１】
以下、本発明に係るＨＡ遠隔操作システムの実施形態について、図１乃至６を参照してさらに詳細に説明する。重複を避けるため、各図において同一構成には同一符号を用いて示している。なお、本発明の範囲は特許請求の範囲記載のものであって、以下の実施形態に限定されないことはいうまでもない。
【００１２】
図１は、本発明の第一の実施形態に係るＨＡ遠隔操作システム１の全体構成を示す図である。図２は、遠隔操作（ＯＮ）要求時における非ＨＡ端末装置（屋外灯）の通電状態を示す図である。図３は、遠隔操作（ＯＦＦ）要求時における状態を示す図である。図４は、住戸内からの操作時における通電状態を示す図である。図５は、本発明の第二の実施形態に係るＨＡ遠隔操作システム２０の全体構成を示す図である。図６は、ＨＡ遠隔操作システム２０の遠隔状態確認のフローを示す図である。
【００１３】
＜第一の実施形態＞
図１を参照して、第一の実施形態に係るＨＡ遠隔操作システム１は、システム全体の管理を行う管理センタ１１、住戸内に設置されるＨＡ集中制御用コントローラ３、非ＨＡ端末装置（ここでは屋外灯）４、コントローラ３と屋外灯４とのインターフェイスをとるＨＡ変換ユニット２を主要構成としている。管理センタ１１は、複数台のコンピュータにより構成される状態確認サーバ（図示せず）を備えており、携帯端末１３からの端末装置に対する遠隔状態確認、遠隔操作要求を受付け、コントローラ３に対して指令する。管理センタ１１とコントローラ３間は公衆電話回線網１４、モデム１８を介して結ばれている。ＨＡ遠隔操作システム１の通信プロトコルは、管理センタ２とコントローラ３間はＡライン通信規格、コントローラ３とＨＡ変換ユニット２間はＪＥＭ−Ａ規格により構成されている。
【００１４】
コントローラ３は、ＨＡ変換ユニット２に対してＪＥＭ−Ａによる制御信号送信のための制御信号送信回路３ａ、ＨＡ変換ユニット２から出力されるモニタ信号受信のためのモニタ信号監視回路３ｂを備えている。コントローラ３は、他に住戸内ホームオートメーションを集中制御するための制御回路、操作部、表示部等を備えているが、ここでは表示及び説明を省略する。コントローラ３とＨＡ変換ユニット２間は、制御通信線、モニタ信号線からなる通信線群１２により接続されている。
【００１５】
ＨＡ変換ユニット２は、通電制御回路６、リレー回路８、モニタ信号出力回路７、通電検出回路１０、を主要構成としている。通電制御回路６は、コントローラ３の制御信号送信回路３ａからの制御信号に基づいて、リレー回路８に対してトリガーを与える機能を有する。リレー回路８は、トリガー信号を受けてリレーＳＷ９の開閉を行う。リレーＳＷ９は、２つの接点９ａ、９ｂを備えている。コントローラ３の制御信号送信回路３ａとＨＡ変換ユニット２の通電制御回路６間、及びモニタ信号監視回路３ｂとモニタ信号出力回路７間にはそれぞれフォトカプラ１７ａ、１７ｂが配設されており、電気的に絶縁されるように構成されている。
【００１６】
屋外灯４には、リレーＳＷ９とは独立して操作可能なスイッチ５が付設されており、リレーＳＷ９とスイッチ５間は配線１６ａ、１６ｂにより階段スイッチが形成されている。
ＨＡ変換ユニット２には商用電源１５が導入されており、リレーＳＷ９とスイッチ５を介して屋外灯４に電力が供給される。電力供給ライン途中には通電検出回路１０が配設されており、通電状態を検出してモニタ信号受信回路７に送信するように構成されている。
【００１７】
ＨＡ遠隔操作システム１は以上のように構成されており、次に、屋外灯４に対する遠隔制御について説明する。図２を参照して、携帯電話１３から管理センター１１に対して屋外灯４の遠隔ＯＮ（例えば屋外灯の点灯）要求があると、管理センター１１はコントローラ３に対して屋外灯４の通電を指令する。これを受けて、コントローラ３はＨＡ変換ユニット２の通電制御回路６にＪＥＭ−Ａ制御信号を送信する。制御信号を受信した通電制御回路６は、リレー回路８に対して通電トリガーを与える。これを受けてリレー回路８は、リレーＳＷ９の接点９ｂ側閉、接点９ａ側開にする。これにより、同図太線に示す回路に通電され、屋外灯４が点灯する。
【００１８】
通電検出回路１０が通電状態を検知すると、モニタ信号出力回路７に信号送信する。これを受けてモニタ信号出力回路は、コントローラ３のモニタ信号監視回路３ｂにＪＥＭ−Ａに準拠する信号を出力する。従って、携帯端末１３から管理センター１１に対して遠隔状態確認要求があると、管理センター１１はコントローラ３からモニタ結果を受信し、携帯端末１３にその内容を送信する。
【００１９】
次に、図３を参照して、上述の状態下において携帯電話１３から管理センター１１に対して遠隔ＯＦＦ（例えば屋外灯の消灯）要求があると、管理センター１１はコントローラ３に対して屋外灯４の通電遮断を指令する。これを受けて、コントローラ３はＨＡ変換ユニット２の通電制御回路６にＪＥＭ−Ａ制御信号を送信する。制御信号を受信した通電制御回路６は、リレー回路８に対して通電遮断トリガーを与える。これを受けて、リレー回路８はリレーＳＷ９の接点９ｂ側開、接点９ａ側閉にする。これにより通電が遮断され、屋外灯４は消灯する。
【００２０】
さらに図４を参照して、携帯電話１３からの要求で屋外灯４が消灯の状態において、住戸内から操作を行う場合について説明する。住戸内操作者がスイッチ５を５ｂ側に切替えると、同図太線に示す通電回路が構成され、屋外灯４は点灯する。
【００２１】
このように、本実施形態では、遠隔からのＯＮ／ＯＦＦ操作及び住戸内からの直接操作、状態確認が可能となる。
＜第二の実施形態＞
さらに、本発明の他の実施形態について説明する。本実施形態は、請求項７に対応するものである。図５を参照して、ＨＡ遠隔操作システム２０は、管理センタ１１と、住戸内に設置されるＨＡコントローラ３と、玄関ドア（図示せず）のスイッチストライク２１を主要構成としている。管理センタ１１とコントローラ３間は公衆電話回線網（図示せず）を介して結ばれている。管理センタ１１及びコントローラ３の構成並びに管理センタ１１とコントローラ３間の通信携帯については第一の実施形態と同一であるので、説明を省略する。スイッチストライク２１は、無電圧接点２２により構成されており、端子２３ａ、２３ｂは、それぞれ通信線Ｍ１，Ｍ２に接続され、さらにコントローラ３のモニタ信号監視回路３ｂに接続されている。なお、同図においては、スイッチストライク２１の接点２２は開、すなわち、玄関ドアのデッドボルト（図示せず）が閉じられていない状態である。
【００２２】
次に、図６を参照して、ＨＡ遠隔操作システム２０の遠隔状態確認のフローについて説明する。コントローラ３は、常時、スイッチストライク２１のモニタ信号確認を行っている（Ｓ１０１）。すなわち、スイッチストライク２１の接点２２が閉になると、モニタ信号監視回路３ｂ→通信線Ｍ１→スイッチストライク接点２２→通信線Ｍ２→モニタ信号監視回路３ｂの回路が閉じて、信号電流が流れてモニタ信号監視回路３ｂはこれを検知することによりスイッチストライク２１の開閉を検知するように構成されている。
【００２３】
携帯端末１３から管理センタ１１に対して玄関ドアのロック状態確認要求があると（Ｓ１０２）、管理センタ１１はコントローラ３に対してモニタ信号送信指令電文を送信する（Ｓ１０３）。これを受けてコントローラ３は、スイッチストライク２１のモニタ信号状態（すなわち、スイッチストライク２１の開閉）を管理センタ２に返信する（Ｓ１０４）。管理センタ２は、携帯端末７に対して状態確認結果を送信し（Ｓ１０５）、携帯端末７はこれを受けて画面に状態表示を行う（Ｓ１０６）。
【００２４】
以上のように、本実施形態では、既存のＨＡコントローラのモニタ信号監視回路に無電圧接点を有する非ＨＡ端末装置を接続することにより、遠隔状態確認が可能となる。
なお、上述の各実施形態では一の非ＨＡ端末装置のみ接続されている場合を例に説明したが、これに限らず複数の非ＨＡ端末装置の通信接続確認を行う場合や、非ＨＡ端末装置とＨＡ端子を備えた端末装置とが並存する形態についても、同様に適用することができる。
【産業上の利用可能性】
【００２５】
本発明は、端末機器を問わず、ＪＥＭ−Ａ規格に準拠するＨＡコントローラを備えたＨＡシステムに広く適用可能である。
【図面の簡単な説明】
【００２６】
【図１】第一の実施形態に係るＨＡ遠隔操作システム１の全体構成を示す図である。
【図２】ＨＡ遠隔操作システム１の遠隔操作要求時における非ＨＡ端末装置の通電状態を示す図である。
【図３】運転状態確認要求があったときの、第１段階制御フローを示す図である。
【図４】運転状態確認要求があったときの、第２段階制御フローを示す図である。
【図５】第二の実施形態に係るＨＡ遠隔操作システム２０の全体構成を示す図である。
【図６】ＨＡ遠隔操作システム２０の遠隔状態確認のフローを示す図である。
【図７】ＪＥＭ−Ａ規格によるＨＡ端子の構成を示す図である。
【図８】ＪＥＭ−Ａ規格によるＨＡ端子の論理的条件を示す図である。
【符号の説明】
【００２７】
１，２０    ＨＡ遠隔操作システム
２          ＨＡ変換ユニット
３          コントローラ
４          非ＨＡ端末装置（屋外灯）
５          スイッチ
６          通電制御回路
７          モニタ信号出力回路
８          リレー回路
９          リレーＳＷ
１０        通電検出回路
１１        管理センタ
１３        携帯端末
２１        スイッチストライク
２２        無電圧接点
【図１】
2006191419.tif 000003
【図２】
2006191419.tif 000004
【図３】
2006191419.tif 000005
【図４】
2006191419.tif 000006
【図５】
2006191419.tif 000007
【図６】
2006191419.tif 000008
【図７】
2006191419.tif 000009
【図８】
2006191419.tif 000010